(57)【特許請求の範囲】
【請求項１】
固定面に沿って配線・配管する電線・管のクリップを保持するためのホルダであって、フランジが起立したコの字形あるいはＬ字形断面のクリップ受け座プレートと、一端に先端に向けて径を小さくした裁頭円錐形状の台座が形成され、この台座の前記先端面に溶接用の突起部を有しているボルトとからなり、前記クリップ受け座プレートに前記ボルトを前記台座の大径側を前記クリップ受け座プレートの背面側に当接して貫通し前記ボルトをクリップ受け面側に突出してクリップ受け座プレートとボルトとを結合し、前記台座の先端面を配線・配管する固定面にプロジェクション溶接してクリップ受け座プレートのクリップ受け面にクリップを前記ボルトに螺合するナットにより締め付け保持させるようにしたことを特徴とする配線・配管用クリップホルダ。
【発明の詳細な説明】
【０００１】
【発明の属する技術分野】
本発明は、固定面に沿って配線・配管する電線・管のクリップを保持するための配線・配管用クリップホルダに関するものである。
【０００２】
【従来の技術】
例えば、車両においては図６で示すように、アクスル１４とフレーム１５とに渡って配線・配管する電線１２やブレーキホース１６はクリップ９によって取り付けられている。このクリップ９はアクスル１４やフレーム１５に所定の間隔で溶接されたスタットボルトにナット締め付けで固定されている。
【０００３】
【発明が解決しようとする課題】
前記クリップ９は配線・配管の方向に正しく向けて固定されなければならないが、スタットボルトにクリップ９をナットによって締め付け固定する際にクリップ９がナットと共回りしてクリップ９が配線・配管の方向に正しく向かないために作業者は片手でクリップ９の共回りを抑止してナット締め付け作業する手間を要している。また、配線・配管は固定面に接触していると振動等によって配線・配管が擦れるため固定面から離れて配線・配管されることが望ましい。さらに、スタットボルトを固定面に溶接するには、一般的にすみ肉溶接が用いられているが、これには溶接パターンごとに治具を用いなければならなかった。
【０００４】
本発明の目的は、上記従来の問題に鑑み、クリップのナット共回りを抑止し、かつ固定面から離れた配線・配管を可能とし、固定面に対するボルトのプロジェクション溶接作業を容易にすると共に通電性を向上した配線・配管用クリップホルダを提供することである。
【０００５】
【課題を解決するための手段】
上記の目的を達成するための本発明は、フランジが起立したコの字形あるいはＬ字形断面のクリップ受け座プレートと、一端に先端に向けて径を小さくした裁頭円錐形状の台座が形成され、この台座の前記先端面に溶接用の突起部を有しているボルトとからなり、前記クリップ受け座プレートに前記ボルトを前記台座の大径側を前記クリップ受け座プレートの背面側に当接して貫通し前記ボルトをクリップ受け面側に突出してクリップ受け座プレートとボルトとを結合し、前記台座の先端面を配線・配管する固定面にプロジェクション溶接してクリップ受け座プレートのクリップ受け面にクリップを前記ボルトに螺合するナットにより締め付け保持させるようにしたことを特徴とするものである。
【０００６】
【発明の実施の形態】
以下本発明の実施の形態を図面に基づいて説明する。図１乃至図３において、１は本発明による配線・配管用クリップホルダである。この配線・配管用クリップホルダ１は図５で示すように、フランジ５が起立したコの字形あるいはＬ字形断面のクリップ受け座プレート４と、一端に先端に向けて径を小さくした裁頭円錐形状の台座３が形成され、この台座３の前記先端面に溶接用の突起部８を有しているボルト２とから構成されている。
【０００７】
前記クリップ受け座プレート４には、その中央部に前記ボルト２を貫通するための穴６が開設されており、前記ボルト２の一端に形成されている台座３は図３で示すように、大径Ｄ１端面３ａと小径Ｄ２端面３ｂと、この大径Ｄ１端面３ａと小径Ｄ２端面３ｂとの間には所定の間隔Ｈを有している裁頭円錐形状であり、前記大径Ｄ１端面３ａには溶接用の突起部７を有し、前記小径Ｄ２端面３ｂにも溶接用の突起部８を有している。
【０００８】
上記クリップ受け座プレート４とボルト２とは一体的に結合されている。すなわち、ボルト２をクリップ受け座プレート４の背面側から穴６を貫通してクリップ受け面側に突出する。このクリップ受け面側とはフランジ５が起立している側である。クリップ受け座プレート４とボルト２との一体的結合は、台座３の大径Ｄ１端面３ａをクリップ受け座プレート４の背面側に当接して突起部７によりプロジェクション溶接する。尚、クリップ受け座プレート４とボルト２との一体的結合は前記突起部７によるプロジェクション溶接が結合作業上で好ましいが、プロジェクション溶接以外の溶接法でも可能であり、プロジェクション溶接に限定されるものではない。
【０００９】
上記のようにして図１乃至図３で示すようにクリップ受け座プレート４とボルト２と一体的に結合した配線・配管用クリップホルダ１は、配線・配管が施される固定面にプロジェクション溶接する。この配線・配管用クリップホルダ１のプロジェクション溶接には配線・配管用クリップホルダ１のボルト２をロボットに把持させて台座３の小径Ｄ２端面３ｂを固定面に当接し加圧して通電することにより小径Ｄ２端面３ｂの突起部８によって固定面に溶接される。
【００１０】
前記固定面に配線・配管用クリップホルダ１を溶接固着するに際しては、後述するクリップ９が配線・配管の方向に正しく向くようにクリップ受け座プレート４のフランジ５の向きを固定面の複数個所で適切に設定する。
【００１１】
上記固定面にプロジェクション溶接する際には、台座３が裁頭円錐形状形であり固定面に当接する側が小径Ｄ２端面３ｂとなっているため、台座３を通る電流が小径Ｄ２端面３ｂの突起部８に集中して流れ、突起部８に対する通電性を良好にして突起部８の溶融性を増し溶接強度を向上する。
【００１２】
このようにして固定面に溶接された配線・配管用クリップホルダ１はクリップ受け座プレート４を備えたスタットボルトが得られる。そこで、図４で示すように、電線１２（又は管）の支持部１１と取付片１０とを備えているクリップ９をクリップ受け座プレート４のクリップ受け面側に前記取付片１０に開けられているボル挿通穴をボルト２に通して、前記ボルト２にナット１３を螺合しナット１３にて取付片１０をクリップ受け座プレート４のクリップ受け面に締め付けることによりクリップ９を保持するものである。
【００１３】
前記ナット１３にて取付片１０をクリップ受け座プレート４のクリップ受け面に締め付ける際には取付片１０がクリップ受け座プレート４のフランジ５の間に挾まった状態であるため、取付片１０はナット１３の締め付けと共回りすることなくクリップ９は配線・配管の方向に正しく向けられて配線・配管用クリップホルダ１に保持される。従って、クリップ９の取り付け作業ではクリップ９の共回りを心配することなく容易にナット１３の締め付け作業を行うことができる。
【００１４】
また、固定面に溶接固定された配線・配管用クリップホルダ１は振動等で回転することがなく、取付片１０がクリップ受け座プレート４のフランジ５の間に挾まった状態のクリップ９はクリップ受け座プレート４のフランジ５の向きで維持され配線・配管の向きを常に設定した適切な方向で保持することができる。
【００１５】
さらに、クリップ９を保持するクリップ受け座プレート４は固定面に対し台座３の大径Ｄ１端面３ａと小径Ｄ２端面３ｂとの間の間隔Ｈによって固定面との間には間隔Ｈ分のスキマを有している。このため、クリップ９に支持されている電線１２（又は管）は固定面との間にスキマを積極的に形成するスぺーサの役割をなし、振動等による各クリップ９間の電線１２（又は管）が固定面へ接触することがなくなり、配線・配管の擦損を防止することができる。
【００１６】
【発明の効果】
以上述べたように本発明によると、配線・配管用のクリップを固定面にナット締め付け固定する際の共回りが抑止されるので、固定面への取り付け作業性が容易になると共に、台座によるスペーサの役割によって固定面から離間して配線・配管されるため電線（又は管）が固定面へ接触することがなくなり、配線・配管の擦損を防止することができる。また、前記台座は固定面に当接する端面が小径の裁頭円錐形状であるため、固定面に対し配線・配管用クリップホルダをプロジェクション溶接する際には、電流が小径端面の突起部に集中して流れ、突起部に対する通電性を良好にして突起部の溶融性を増し溶接強度を向上する共に、ロボットによるプロジェクション溶接ができるので溶接治具が不要となり溶接作業を容易にすることができる等の利点を有している。
【図面の簡単な説明】
【図１】本発明の斜視図
【図２】図１のＡ矢視図
【図３】図１のＢ矢視図
【図４】クリップを保持した状態の図１のＣ矢視図
【図５】本発明を構成する部材を示す図
【図６】配線・配管部所の１例を示す斜視図
【符号の説明】
１    配線・配管用クリップホルダ
２    ボルト
３    台座
３ａ  大径Ｄ１端面
３ｂ  小径Ｄ２端面
４    クリップ受け座プレート
５    フランジ
６    穴
７    突起部
８    突起部
９    クリップ
１０    取付片
１１    支持部
１２    電線（又は管）
１３    ナット
【図１】
0003655203.tif 000002
【図２】
0003655203.tif 000003
【図３】
0003655203.tif 000004
【図４】
0003655203.tif 000005
【図５】
0003655203.tif 000006
【図６】
0003655203.tif 000007